(57)【要約】      （修正有）【課題】衝撃力に対してキャリッジを確実にラッチするとともに、衝撃力が加わらない場合にはイナーシャレバーを確実に中立位置に位置決めさせて不必要なラッチを防止しながら、磁気ディスク装置の小形化を容易に実現すること。【解決手段】キャリッジ４の基端部４３には第１の凹部４３ａ及び第２の凹部４３ｂが設けられ、ラッチアーム７１は、回動軸７２を挟んだ両端部に、上記第１の凹部４３ａに係合可能な第１の爪部７１ａと上記第２の凹部４３ｂに係合可能な第２の爪部７１ｂを有する。また、ヨーク５１の裏面を支持軸として、当該ラッチアーム７１の回動を両側面方向から付勢するねじりコイルばねを設ける。ＨＤＤに衝撃又は振動が加わった場合には、ラッチアーム７１が両回転方向のイナーシャに対応してキャリッジ４をラッチし、衝撃又は振動が加わっていない場合にはねじりコイルばねの付勢力によりラッチアーム７１が中立位置に保たれる。【選択図】図２
2007052880.tif 000002
【特許請求の範囲】
【請求項１】
磁気ディスク装置に用いられるイナーシャラッチ機構であって、
一端に磁気ヘッドを有し、他端に第１及び第２の凹部を有し、磁気ディスクとランプとの間で当該磁気ディスクの記録面に略垂直方向の回動軸を中心に回動することで前記ヘッドを移動可能なキャリッジと、
前記第１の凹部に係合可能な第１の爪部と、前記第２の凹部に係合可能な第２の爪部と、当該第１の爪部と第２の爪部とに挟まれるように、前記キャリッジの回動軸と略平行に設けられた回動軸とを有し、前記磁気ディスク装置に所定の外力が加わった場合に当該回動軸を中心に時計回り方向及び反時計回り方向に回動自在に設けられたラッチアームと、
前記磁気ディスク装置に前記所定の外力が加わっていない場合に、前記ラッチアームを当該ラッチアームの回動を規制する方向に付勢する付勢手段と
を具備することを特徴とするイナーシャラッチ機構。
【請求項２】
請求項１に記載のイナーシャラッチ機構において、
前記ラッチアーム及び前記キャリッジの一部を覆うカバー部材を更に具備し、
前記付勢手段は、
前記ラッチアームの回動を時計回り方向及び反時計回り方向に規制するように付勢するねじりコイルばねと、
前記カバー部材の裏面に設けられ、前記ねじりコイルばねを支持する支持部材と
を有することを特徴とするイナーシャラッチ機構。
【請求項３】
請求項２に記載のイナーシャラッチ機構において、
前記ねじりコイルばねは第１及び第２のアーム部を有し、
前記ラッチアームは、当該ラッチアームの回動軸から所定の距離をおいて設けられ、前記第１のアーム部と当接して前記時計回り方向の付勢力を受けるための第１の突出部及び前記第２のアーム部と当接して前記反時計回り方向の付勢力を受けるための第２の突出部を具備することを特徴とするイナーシャラッチ機構。
【請求項４】
請求項１に記載のイナーシャラッチ機構において、
前記ラッチアームは、前記回動軸近傍の肉厚よりも両端部の肉厚の方が厚く形成されていることを特徴とするイナーシャラッチ機構。
【請求項５】
請求項１に記載のイナーシャラッチ機構において、
前記ラッチアームはタングステン入りの樹脂で形成されることを特徴とするイナーシャラッチ機構。
【請求項６】
請求項１に記載のイナーシャラッチ機構において、
前記磁気ヘッドの先端にはタブが設けられ、
前記ランプは、
前記磁気ヘッドのアンロード時に前記タブが乗り上げる斜面と、
前記斜面よりも前記アンロード方向に形成され、前記磁気ディスクの非回転時に前記タブが載置される段差部と
を有することを特徴とするイナーシャラッチ機構。
【請求項７】
請求項１に記載のイナーシャラッチ機構において、
前記ラッチアームは、前記回動軸近傍から前記キャリッジ方向に向かって設けられた凸部と、当該凸部の先端に設けられた磁性体とを有し、
前記キャリッジは、ボイスコイルモータの一部を形成するとともに前記磁性体を吸引可能な磁石を前記他端に有する
ことを特徴とするイナーシャラッチ機構。
【請求項８】
イナーシャラッチ機構を有する磁気ディスク装置であって、
磁気ディスクと、
前記磁気ディスクを支持及び回転駆動させるためのスピンドルモータと、
一端に磁気ヘッドを有し、他端に第１及び第２の凹部を有し、磁気ディスクとランプとの間で当該磁気ディスクの記録面に略垂直方向の回動軸を中心に回動することで前記ヘッドを移動可能なキャリッジと、
前記キャリッジを回動させるためのボイスコイルモータと、
前記第１の凹部に係合可能な第１の爪部と、前記第２の凹部に係合可能な第２の爪部と、当該第１の爪部と第２の爪部とに挟まれるように、前記キャリッジの回動軸と略平行に設けられた回動軸とを有し、当該磁気ディスク装置に所定の外力が加わった場合に当該回動軸を中心に時計回り方向及び反時計回り方向に回動自在に設けられたラッチアームと、
前記磁気ディスク装置に前記所定の外力が加わっていない場合に、前記ラッチアームを当該ラッチアームの回動を規制する方向に付勢する付勢手段と
を具備することを特徴とする磁気ディスク装置。
【請求項９】
磁気ディスク装置を有する電子機器であって、
磁気ディスクと、
前記磁気ディスクを支持及び回転駆動させるためのスピンドルモータと、
一端に磁気ヘッドを有し、他端に第１及び第２の凹部を有し、磁気ディスクとランプとの間で当該磁気ディスクの記録面に略垂直方向の回動軸を中心に回動することで前記ヘッドを移動可能なキャリッジと、
前記キャリッジを回動させるためのボイスコイルモータと、
前記第１の凹部に係合可能な第１の爪部と、前記第２の凹部に係合可能な第２の爪部と、当該第１の爪部と第２の爪部とに挟まれるように、前記キャリッジの回動軸と略平行に設けられた回動軸とを有し、前記磁気ディスク装置に所定の外力が加わった場合に当該回動軸を中心に時計回り方向及び反時計回り方向に回動自在に設けられたラッチアームと、
前記磁気ディスク装置に前記所定の外力が加わっていない場合に、前記ラッチアームを当該ラッチアームの回動を規制する方向に付勢する付勢手段と
を有する磁気ディスク装置と、
前記磁気ディスク装置へのデータの記録及び当該磁気ディスク装置に記録されたデータの再生のうち少なくとも一方を制御する制御部と
を具備することを特徴とする電子機器。
【発明の詳細な説明】
【技術分野】
【０００１】
本発明は、ＨＤＤ（ハードディスクドライブ）等の磁気ディスク装置に用いられるイナーシャラッチ機構、当該ラッチ機構を有する磁気ディスク装置及び当該磁気ディスク装置を有する電子機器に関する。
【背景技術】
【０００２】
近年、ＨＤＤ等の磁気ディスク装置においては、ディスクが回転していない場合にはヘッドをディスクの外側のランプに待避させておくランプ・ロード方式が採用されている。当該ランプ・ロード方式においては、外部から衝撃や振動が加わった場合に、ヘッドを支持するキャリッジが回転してランプからヘッドがディスク上に脱落し、ヘッドとディスクが吸着現象を起こしてしまうのを防止するためにキャリッジをロックするラッチ機構が設けられるのが通常である。当該ラッチ機構には、磁気力を利用したマグネットラッチ機構と、慣性力を利用したイナーシャラッチ機構とがある。
【０００３】
このうち、イナーシャラッチ機構には、慣性力により回転するイナーシャレバーと当該イナーシャレバーの回転にリンクして回転してキャリッジをロックするロックレバーの２本のレバーで構成される２本ラッチ機構と、上記イナーシャレバーの機構とロックレバーの機構とを両立させて１本のレバーで構成された１本ラッチ機構とがある。
【０００４】
このうち、２本ラッチ機構は、イナーシャのかかる方向に応じて時計回り及び反時計回りの両方向の回転衝撃に対応してラッチすることが可能であるが、部品点数が多いためコストが掛かり、かつ、特に小型化されたＨＤＤに採用しようとしても十分なスペースが取れないという問題がある。
【０００５】
一方、１本ラッチ機構は、コストや小型化の際のスペースという点では有利であるが、通常、イナーシャがかからない場合のレバーの待機位置をマグネットの力を利用して決めているため、レバーの回転軸に対してレバーの一端をマグネットに押し付けることとなる。そうすると、イナーシャのかかる方向に対して１方向にしか対応できず、上記２本レバーのように両方向の回転衝撃に対応することはできなかった。
【０００６】
そこで、レバーの回転軸を挟んで両端にラッチ爪を設けて、当該両回転方向のイナーシャに対応しながら１本レバーでラッチ可能なイナーシャラッチ機構が考案されている（例えば、特許文献１参照。）。  
【特許文献１】特開２００１−１４８１５号公報（段落[００３４]、[００３５]、図４等）
【発明の開示】
【発明が解決しようとする課題】
【０００７】
ところで、１本レバーで両方向のイナーシャに対応しようとする場合、衝撃がかからない場合にレバーが不必要に回転してラッチしてロード動作に影響を及ぼすことがないように、レバーを所定の中立位置に位置決めさせて待機させておく必要がある。しかしながら、上記特許文献１に記載の技術においては、当該位置決めを、レバーに設けた磁性体と、当該レバーに隣接してレバーに対してキャリッジとは反対側に設けられたマグネットとによって決めているため、当該マグネットを設けるためのスペースが必要になり、ＨＤＤを小型化しようとする際に障害となる。昨今進んでいるＨＤＤの小型化に鑑みると、この障害は重大である。
【０００８】
以上のような事情に鑑み、本発明の目的は、衝撃力に対してキャリッジを確実にラッチするとともに、衝撃力が加わらない場合にはイナーシャレバーを確実に中立位置に位置決めさせて不必要なラッチを防止しながら、小形化を容易に実現することが可能な磁気ディスク装置のイナーシャラッチ機構、当該イナーシャラッチ機構を有する磁気ディスク装置及び当該磁気ディスク装置を有する電子機器を提供することにある。
【課題を解決するための手段】
【０００９】
上述の課題を解決するため、本発明のイナーシャラッチ機構は、磁気ディスク装置に用いられるイナーシャラッチ機構であって、一端に磁気ヘッドを有し、他端に第１及び第２の凹部を有し、磁気ディスクとランプとの間で当該磁気ディスクの記録面に略垂直方向の回動軸を中心に回動することで前記ヘッドを移動可能なキャリッジと、前記第１の凹部に係合可能な第１の爪部と、前記第２の凹部に係合可能な第２の爪部と、当該第１の爪部と第２の爪部とに挟まれるように、前記キャリッジの回動軸と略平行に設けられた回動軸とを有し、前記磁気ディスク装置に所定の外力が加わった場合に当該回動軸を中心に時計回り方向及び反時計回り方向に回動自在に設けられたラッチアームと、前記磁気ディスク装置に前記所定の外力が加わっていない場合に、前記ラッチアームを当該ラッチアームの回動を規制する方向に付勢する付勢手段とを具備する。
【００１０】
ここで磁気ディスク装置とは例えばＨＤＤである。また付勢手段とは例えばばねやゴム等の弾性体である。ばねとしてはコイルばねや板ばね等様々なものを用いることができる。また所定の外力とは並進衝撃や回転衝撃、振動等であり、少なくとも上記付勢手段による付勢力と、上記ラッチアームとその回動軸との摩擦力とを加えた力よりも大きな力である。すなわち、上記所定の外力が加わった場合には当該付勢力及び摩擦力に抗して上記ラッチアームが回動することとなる。
【００１１】
この構成により、磁気ヘッドがランプに待避している場合であって、磁気ディスク装置に衝撃や振動等の所定の外力が加わることで上記ラッチアームに対して時計回り方向及び反時計回り方向のどちらの方向のイナーシャがかかった場合でも、上記ラッチアームの両方向への回動により、上記第１の爪部がキャリッジの第１の凹部へ係合し、または上記第２の爪部が上記第２の凹部へ係合することで、磁気ヘッドがランプから磁気ディスク側へ飛び出てしまうのを防ぐことができる。また、上記所定の外力がかからない場合には、上記付勢手段によりラッチアームが所定の中立位置に補正されるため、ラッチの必要のない場合にまでラッチアームが回動して磁気ヘッドをラッチしてしまい、ロード及びアンロードができなくなるのを防ぐことができる。すなわち、上記付勢手段により確実に中立補正が可能となることにより、いわゆる１本ラッチ構造のラッチアームによってもイナーシャラッチ機構を実現することができる。これにより、２本ラッチ構造のラッチアームの場合に比べて部品点数を削減しながら省スペース化を図ることができ、また、構造を単純化することで磁気ディスク装置の信頼性を向上させることもできる。
【００１２】
なお、上記付勢手段の付勢力は、強すぎると衝撃や振動時におけるラッチアームの回動開始タイミングが遅れてラッチに失敗する可能性があり、弱すぎると上記中立補正ができなくなる可能性があるため、そのようなことがない範囲の力に調整される。
【００１３】
本発明の一の形態によれば、上記イナーシャラッチ機構は、前記ラッチアーム及び前記キャリッジの一部を覆うカバー部材を更に具備し、前記付勢手段は、前記ラッチアームの回動を時計回り方向及び反時計回り方向に規制するように付勢するねじりコイルばねと、前記カバー部材の裏面に設けられ、前記ねじりコイルばねを支持する支持部材とを有していてもよい。当該ねじりコイルばねを付勢手段として採用することで、コストがかからず比較的単純な構造ながらも上記中立補正を確実に実現することが可能となる。またねじりコイルばねの支持部材を上記ラッチアーム及びキャリッジのカバー部材に設けることで、独立に支持部材を設ける場合に比べてスペースを有効に用いることができる。
【００１４】
本発明の一の形態によれば、上記イナーシャラッチ機構において、前記ねじりコイルばねは第１及び第２のアーム部を有し、前記ラッチアームは、当該ラッチアームの回動軸から所定の距離をおいて設けられ、前記第１のアーム部と当接して前記時計回り方向の付勢力を受けるための第１の突出部及び前記第２のアーム部と当接して前記反時計回り方向の付勢力を受けるための第２の突出部を具備していてもよい。所定の距離とは、例えば上記磁気ディスクの径が１インチの場合、回動軸の中心からラッチアームの長手方向へ向かって例えば２ｍｍ程度若しくはそれ以上の距離をいう。当該所定の距離をおいた突出部を支点としてねじりコイルばねのアーム部がラッチアームを支持するため、磁気ディスク装置に上記所定の外力が加わらない場合の中立位置の補正をより安定して行うことが可能となる。
【００１５】
本発明の一の形態によれば、上記イナーシャラッチ機構において、前記ラッチアームは、前記回動軸近傍の肉厚よりも両端部の肉厚の方が厚く形成されていてもよい。これにより、ラッチアームの回動軸から離れた両端部の方が重くなるため、肉厚が一定の場合と比較して、磁気ディスク装置に上記所定の外力が加わってイナーシャを受けた場合の慣性モーメント、すなわちトルクが大きくなり、イナーシャによりラッチアームが安定して回動し、ラッチ動作を確実に行なうことができる。
【００１６】
本発明の一の形態によれば、上記イナーシャラッチ機構において、前記ラッチアームはタングステン入りの樹脂で形成されていてもよい。ラッチアームは比重が大きい方がトルクが大きくなるため好ましい。従って、例えば真鍮等の比重の大きい合金を用いてもよいが、タングステン入りの樹脂を用いることで、真鍮等の合金に比べて低コストながらも十分な比重を持たせることができ、ラッチのためのトルクを確実に得ることができる。
【００１７】
本発明の一の形態によれば、上記イナーシャラッチ機構において、前記磁気ヘッドの先端にはタブが設けられ、前記ランプは、前記磁気ヘッドのアンロード時に前記タブが乗り上げる斜面と、前記斜面よりも前記アンロード方向に形成され、前記磁気ディスクの非回転時に前記タブが載置される段差部とを有していてもよい。
【００１８】
ここで上記アンロード方向とは、磁気ヘッドが磁気ディスクから遠ざかる方向のことをいう。また段差部は略直角に形成されていてもよいし、面取り状やＲ状等の斜面として形成されていてもよい。この構成により、磁気ディスク装置に上記所定の外力が加わって上記タブ（ヘッド）が磁気ディスク側へ動いた場合でも、上記段差部により動きが規制されるため、例えばラッチレバーの回動開始がキャリッジの回動開始よりも遅れてしまったような場合でも、ヘッドの移動を規制又は遅らせて上記ラッチレバーの回動によるラッチ動作を補助することができる。
【００１９】
本発明の一の形態によれば、上記イナーシャラッチ機構において、前記ラッチアームは、前記回動軸近傍から前記キャリッジ方向に向かって設けられた凸部と、当該凸部の先端に設けられた磁性体とを有し、前記キャリッジは、ボイスコイルモータの一部を形成するとともに前記他端に前記磁性体を吸引可能な磁石を有していてもよい。これにより、上記所定の外力が加わらない場合には、当該磁石の吸引力により上記付勢手段によるラッチアームの中立補正動作を補助することができ、また、上記所定の外力が加わった場合であってラッチアームの回動開始が遅れた場合であっても、上記磁石の吸引力によりキャリッジの回動力を弱めて、ラッチ動作の失敗を防ぐことができる。
【００２０】
本発明の他の観点に係る磁気ディスク装置は、イナーシャラッチ機構を有する磁気ディスク装置であって、磁気ディスクと、前記磁気ディスクを支持及び回転駆動させるためのスピンドルモータと、一端に磁気ヘッドを有し、他端に第１及び第２の凹部を有し、磁気ディスクとランプとの間で当該磁気ディスクの記録面に略垂直方向の回動軸を中心に回動することで前記ヘッドを移動可能なキャリッジと、前記キャリッジを回動させるためのボイスコイルモータと、前記第１の凹部に係合可能な第１の爪部と、前記第２の凹部に係合可能な第２の爪部と、当該第１の爪部と第２の爪部とに挟まれるように、前記キャリッジの回動軸と略平行に設けられた回動軸とを有し、当該磁気ディスク装置に所定の外力が加わった場合に当該回動軸を中心に時計回り方向及び反時計回り方向に回動自在に設けられたラッチアームと、前記磁気ディスク装置に前記所定の外力が加わっていない場合に、前記ラッチアームを当該ラッチアームの回動を規制する方向に付勢する付勢手段とを具備する。
【００２１】
本発明の更に他の観点に係る電子機器は、磁気ディスク装置を有する電子機器であって、磁気ディスクと、前記磁気ディスクを支持及び回転駆動させるためのスピンドルモータと、一端に磁気ヘッドを有し、他端に第１及び第２の凹部を有し、磁気ディスクとランプとの間で当該磁気ディスクの記録面に略垂直方向の回動軸を中心に回動することで前記ヘッドを移動可能なキャリッジと、前記キャリッジを回動させるためのボイスコイルモータと、前記第１の凹部に係合可能な第１の爪部と、前記第２の凹部に係合可能な第２の爪部と、当該第１の爪部と第２の爪部とに挟まれるように、前記キャリッジの回動軸と略平行に設けられた回動軸とを有し、前記磁気ディスク装置に所定の外力が加わった場合に当該回動軸を中心に時計回り方向及び反時計回り方向に回動自在に設けられたラッチアームと、前記磁気ディスク装置に前記所定の外力が加わっていない場合に、前記ラッチアームを当該ラッチアームの回動を規制する方向に付勢する付勢手段とを有する磁気ディスク装置と、前記磁気ディスク装置へのデータの記録及び当該磁気ディスク装置に記録されたデータの再生のうち少なくとも一方を制御する制御部とを具備する。
【００２２】
ここで電子機器としては、コンピュータ（パーソナルコンピュータの場合、ラップトップ型であっても、デスクトップ型であってもよい。）、携帯型及び据置型のオーディオ／ビジュアル機器、ＤＶＤレコーダ、ＰＤＡ（Personal Digital Assistance）、電子辞書、カメラ、ディスプレイ装置、携帯電話、ゲーム機器、カーナビゲーション機器、ロボット機器、その他の電化製品等が挙げられる。制御部とは例えば上記磁気ディスク装置と信号のやり取りを行なうＣＰＵ（Central Processing Unit）や電子回路等である。
【発明の効果】
【００２３】
本発明によれば、衝撃力に対してキャリッジを確実にラッチするとともに、衝撃力が加わらない場合にはイナーシャレバーを確実に中立位置に位置決めさせて不必要なラッチを防止しながら、磁気ディスク装置の小形化を実現することができる。
【発明を実施するための最良の形態】
【００２４】
以下、本発明の実施の形態を図面に基づき説明する。
【００２５】
図１は、本発明の一実施形態に係るＨＤＤ１００の、トップカバー（図示せず）を取り外した場合の外観を示した斜視図であり、図２は、ＨＤＤ１００のうちディスク、キャリッジ、ランプ及びイナーシャラッチ機構を示した図であり、図３は、図２のうちラッチアームの近傍の拡大図である。
【００２６】
図１に示すように、本実施形態におけるＨＤＤ１００は、上面が開口し、上記トップカバーが例えば螺着により固定される略矩形状のケース１を有し、当該ケース１内には、磁気ディスク２と、当該磁気ディスク２を支持するとともに回転駆動させるスピンドルモータ３と、磁気ディスク２に対して情報の書き込み及び読み出しを行なう複数の磁気ヘッド４５を前記磁気ディスク２に対して移動可能に支持したキャリッジ４と、当該キャリッジ４を回動させて磁気ヘッド４５の位置決めを行なうＶＣＭ（ボイスコイルモータ）５と、磁気ディスク２の非回転時（ＨＤＤ１００の駆動停止時）に磁気ヘッド４５を磁気ディスク２から離間した位置に待避させるためのランプ６と、当該待避時に当該磁気ヘッド４５を当該ランプ６にラッチするためのイナーシャラッチ機構７及びヘッドアンプＩＣ８ａ等を有する基板ユニット８等が収容されている。
【００２７】
磁気ディスク２は、例えば直径１インチに形成され、上面及び下面に磁気記録層を有している。当該磁気ディスク２中央の係合孔が上記スピンドルモータ３のハブ（図示せず）に嵌合し、上部のクランプばね３ａに例えば螺着により保持されている。なお磁気ディスク２の径は２．５インチ、３．５インチ等他の径のものであっても構わない。
【００２８】
図１及び図２に示すように、キャリッジ４は、ケース１の底面に固定された軸受けユニット４１と、当該軸受けユニット４１から延出して設けられた例えば２本のアーム４２と、当該軸受けユニット４１に対してアーム４２とは反対側に設けられた基端部４３を有する。
【００２９】
アーム４２の延出端にはサスペンション４４が固定され、当該サスペンション４４の先端には磁気ヘッド４５が取り付けられている。そしてキャリッジ４は上記軸受けユニット４１を軸として回動自在となっており、磁気ヘッド４５は、当該回動により磁気ディスク２上の任意の位置とランプ６との間を移動可能となっている。また、磁気ヘッド４５は、フレキシブル基板９を介して基板ユニット８に電気的に接続されている。なお、図１に示すように、基端部４３と磁気ディスク２との間には、例えばゴムや樹脂等からなるストッパ１１が設けられ、キャリッジ４が時計回り方向に回転した場合に当該ストッパ１１に当たることで、上記磁気ヘッド４５がランプ６をオーバーランしないようになっている。
【００３０】
図１〜図３に示すように、基端部４３には、ＶＣＭコイル５３が固定されている。当該ＶＣＭコイル５３は、当該ＶＣＭコイル５３を覆うように設けられたマグネット５２（図１参照）と、当該マグネット５２及びラッチアーム７１を更に覆うように設けられた板金状の一方のヨーク５１（図１及び図２参照）及び当該マグネット５２の下方のケース１に固定された他方のヨーク（図示せず）とともにＶＣＭ５を構成している。基板ユニット８及びフレキシブル基板９を介して当該ＶＣＭコイル５３に通電することにより、キャリッジ４が回動して磁気ヘッド４５が磁気ディスク２の所望のトラック上に移動及び位置決めされる。
【００３１】
イナーシャラッチ機構７は、基端部４３に形成された第１の凹部及び第２の凹部と、基端部４３近傍のケース１左隅に設けられたラッチアーム７１と、ラッチアーム７１を上記キャリッジ４と同方向に回動自在に支持する回動軸７２と、ラッチアーム７１を当該回動方向とは逆方向へ付勢するねじりコイルばね７３、上記ヨーク５１の裏面に形成され、当該ねじりコイルばね７３を支持する支持軸７４とで構成される。
【００３２】
図４は、上記ラッチアーム７１及びねじりコイルばね７３の平面方向の斜視図であり、図５は、上記ラッチアーム７１及びねじりコイルばね７３の背面方向の斜視図である。図１〜図５に示すように、ラッチアーム７１の長手方向の両端部には、上記キャリッジ４の基端部４３の第１の凹部に係合可能な第１の爪部と、基端部４３の第２の凹部に係合可能な第２の爪部とが回動軸７２を挟むように形成されている。ＨＤＤ１００に衝撃又は振動が加わった場合には、その衝撃又は振動によるイナーシャによって上記回動軸７２を中心にラッチアーム７１が回動する。ラッチアーム７１が時計回り方向（図３の矢印Ａ方向）に回動した場合には上記第１の爪部がキャリッジ４の基端部４３の第１の凹部に係合し、反時計回り方向（図３の矢印Ｂ方向）に回動した場合には上記第２の爪部が第２の凹部に係合することにより、キャリッジ４の回動を規制して、ランプ６に待避している磁気ヘッド４５が当該ランプ６から脱落して磁気ディスク２の表面へ飛び出してしまうのを防ぐことができる。すなわち、ラッチアーム７１は両回転方向のイナーシャに対応してラッチ動作が可能となっている。
【００３３】
また、ラッチアーム７１は、上記回動軸７２から長手方向に向かうに従って肉厚に成形されている。これにより、回動軸７２から遠い位置を重くすることで、トルクを増大させて、回動動作すなわちラッチ動作を安定して行なうことができる。また、トルクの大きさを考慮すると、ラッチアーム７１の材質は比重が大きい方が好ましく、例えば真鍮が用いられるが、これに限られるものではなく、例えばタングステン入りの樹脂を用いても構わない。これにより、十分な比重を実現しながら、真鍮等の合金に比べてコストを削減することができる。
【００３４】
また、ヨーク５１裏面の支持部材に支持されたねじりコイルばね７３は、第１のアーム部７３ａ、第２のアーム部７３ｂ及びコイル部７３ｃで構成される。また図４に示すように、ラッチアーム７１の両側面の、回動軸から所定の距離ｄをおいた位置には第１の凸部７１ｃ及び第２の凸部７１ｄが形成されており、上記第１のアーム部７３ａは第１の凸部７１ｃを、上記第２のアーム部７３ｂは第２の凸部７１ｄをそれぞれ支点として、ラッチアーム７１を両側面方向からそれぞれ付勢している。この構成により、ねじりコイルばね７３は、磁気ヘッド４５のランプ６への待避時であってＨＤＤ１００に衝撃や振動が加わらない場合に、ラッチアーム７１を中立位置に待機させており、ロード時のようにラッチの必要がない場合にまでラッチアーム７１が回動してしまわないようにしている。
【００３５】
この付勢力は、強すぎると衝撃や振動時におけるラッチアーム７１の回動開始タイミングがキャリッジ４の回転によりも遅れて、ラッチに失敗する可能性があり、弱すぎると上記中立位置に保持させることができなくなる可能性があるため、そのようなことがない範囲の力に調整される。また、上記所定の距離ｄとは、磁気ディスク２の径が１インチの場合、例えば２ｍｍ以上の距離であり、当該距離ｄが長いほど、ラッチアーム７１を安定して中立位置に保つことができる。
【００３６】
図６は、ランプ６近傍の拡大斜視図である。図１、図２及び図６に示すように、ランプ６は、ケース１の右方の底面から側面にかけた、磁気ディスク２の外側の位置に設けられる。当該ランプ６には、磁気ヘッド４５のアンロード時にまず磁気ディスク２の外縁近傍から当該磁気ヘッド４５が乗り上げるスロープ６ａが形成され、当該スロープ６ａよりもアンロード側（磁気ディスク２から遠ざかる方向）には、磁気ディスク２の非回転時、すなわち磁気ヘッド４５のランプへの待避時に磁気ヘッド４５の先端に形成されたタブ４６が載置されるための段差部６ｂが形成されている。当該タブ４６が段差部６ｂに載置されることにより、ＨＤＤ１００に所定の衝撃や振動が加わって、磁気ヘッド４５が磁気ディスク２側へ移動しそうになっても、タブ４６の移動が上記段差部６ｂにより規制されるため、上記イナーシャラッチ機構７におけるラッチアーム７１の回動開始が遅れた場合等に、キャリッジ４の回動を遅らせることができ、イナーシャラッチ機構７を補助してラッチ動作の失敗を防ぐことが可能となる。
【００３７】
次に、本実施形態におけるイナーシャラッチ機構７の動作について説明する。図７は、時計回り方向のイナーシャがかかった場合のラッチ動作を示した図であり、図８は、反時計回り方向のイナーシャがかかった場合のラッチ動作を示した図である。
【００３８】
図７に示すように、ＨＤＤ１００の非動作時（磁気ディスク２の非回転時）に、キャリッジ４を反時計回り方向（磁気ディスク２方向）へ回動させるような衝撃や振動が加わった場合、ラッチアーム７１は、当該衝撃や振動のイナーシャにより、キャリッジ４の回動と同期するように反時計回り方向（同図矢印Ｂ方向）へ回動し、第２の爪部７１ｂがキャリッジ４の第２の凹部４３ｂへ係合する。なお、このとき、ラッチアーム７１は、ねじりコイルばね７３の第１のアーム部７３ａの付勢力に抗して回動することとなる。より具体的には、当該付勢力に回動軸７２の摩擦力とを加えた力よりも衝撃や振動によるイナーシャの方が大きい場合にラッチアーム７１が回動する。当該動作により、キャリッジ４がラッチされてその回動が規制され、磁気ヘッド４５が磁気ディスク２上へ飛び出すのを防止することができる。
【００３９】
また、図８に示すように、ＨＤＤ１００の非動作時に、キャリッジ４を時計回り方向（磁気ディスク２から遠ざかる方向）へ回動させるような衝撃や振動が加わった場合、キャリッジ４の回動は、図１に示すストッパ１１により規制されるが、当該ストッパ１１にリバウンドする等により逆に反時計回り方向へ回動することが考えられる。この場合には、ラッチアーム７１はイナーシャにより時計回り方向（同図矢印Ａ方向）へ回動し、第１の爪部７１ａがキャリッジ４の第１の凹部４３ａへ係合する。なお、このとき、ラッチアーム７１は、ねじりコイルばね７３の第２のアーム部７３ｂの付勢力に抗して回動することとなる。当該動作によっても、キャリッジ４がラッチされ、磁気ヘッド４５の飛び出しを防ぐことができる。
【００４０】
すなわち、本実施形態におけるイナーシャラッチ機構７は、両回転方向のイナーシャに対応してキャリッジをラッチすることが可能となっている。また、上記ねじりコイルばね７３の付勢力により、大きな衝撃又は振動が加わらない場合にはラッチアーム７１は中立位置へ確実に補正されるため、ラッチの必要の無い場合にまでラッチされてロード及びアンロード動作を阻害することを防ぐことができる。
【００４１】
また、当該中立補正を実現できたことにより、いわゆる１本ラッチ構造のラッチアームによってもイナーシャラッチ機構を実現することができ、部品点数を減らすとともに省スペース化を図ることができる。中立補正のためのねじりコイルばね７３も、ラッチアーム７１の長手方向へ沿うように設けられているため、スペースをとることもない。省スペース化は、特に、例えば１インチＨＤＤのような小型のＨＤＤにとっては非常に有効となる。
【００４２】
なお、本発明は上述の実施形態にのみ限定されるものではなく、本発明の要旨を逸脱しない範囲内において種々変更を加え得ることは勿論である。
【００４３】
上述の実施形態においてランプ６に設けられた段差部６ｂは、様々な形状を採用することができる。図９は、当該段差部６ｂの形状のバリエーションを示した図である。
【００４４】
段差部６ｂは、同図（ａ）に示すように略垂直状に形成してもよいし、同図（ｂ）に示すようにＲ状に形成してもよいし、同図（ｃ）に示すようにスロープ状に形成してもよいし、その他の形状であってもよい。何れの形状によっても、タブ４６の移動を規制して、ラッチアーム７１の回動動作の遅れをカバーしてラッチ動作を確実に行なわせることが可能となる。
【００４５】
上述の実施形態においては、ねじりコイルばね７３の付勢力によってラッチアーム７１を中立位置へ補正していたが、当該ねじりコイルばね７３に加えて、上記マグネット５２を利用しても構わない。図１０は、中立補正手段としてマグネット５２を更に用いた場合のイナーシャラッチ機構７を示した図である。
【００４６】
同図に示すように、ラッチアーム７１の回動軸７２のキャリッジ側に凸部７５を設けて、当該凸部７５の先端に磁性体としての鉄片７６を設ける。一方、ＶＣＭ５を形成するマグネット５２の、回動軸７２近傍を山形にカットして吸引部５２ａを形成する。これにより、ＨＤＤ１００に衝撃や振動が加わっていない場合には、上記鉄片７６が上記吸引部５２ａに吸引されることにより、ラッチアーム７１が中立位置に保たれ、ねじりコイルばね７３の付勢力と相まって中立補正を安定して行なうことができる。また、衝撃や振動が加わった場合に仮にラッチアーム７１の回動開始が遅れた場合でも、当該マグネット５２の吸引力によりキャリッジ４の回動力を弱めることができ、ラッチ動作の失敗を防ぐことができる。なお、上記凸部７５は極力長く形成した方がより安定して中立位置を保つことができる。
【００４７】
上述の実施形態におけるＨＤＤ１００は、例えばコンピュータ（パーソナルコンピュータの場合、ラップトップ型であっても、デスクトップ型であってもよい。）、携帯型及び据置型のオーディオ／ビジュアル機器、ＤＶＤレコーダ、ＰＤＡ（Personal Digital Assistance）、電子辞書、カメラ、ディスプレイ装置、携帯電話、ゲーム機器、カーナビゲーション機器、ロボット機器等、ＨＤＤ１００と信号のやり取りによって磁気ディスク２に対する情報の記録及び再生を制御するＣＰＵ等や電気回路を有する電子機器であればどのようなものにでも適用することができる。
【図面の簡単な説明】
【００４８】
【図１】本発明の一実施形態に係るＨＤＤ１００の、トップカバー（図示せず）を取り外した場合の外観を示した斜視図である。
【図２】ＨＤＤ１００のうちディスク、キャリッジ、ランプ及びイナーシャラッチ機構を示した斜視図である。
【図３】図２のうちラッチアームの近傍の拡大斜視図である。
【図４】ラッチアーム７１及びねじりコイルばね７３の平面方向の斜視図である。
【図５】ラッチアーム７１及びねじりコイルばね７３の背面方向の斜視図である。
【図６】ランプ６近傍の拡大斜視図である。
【図７】時計回り方向のイナーシャがかかった場合のラッチ動作を示した図である。
【図８】反時計回り方向のイナーシャがかかった場合のラッチ動作を示した図である。
【図９】段差部６ｂの形状のバリエーションを示した図である。
【図１０】中立補正手段としてマグネット５２を更に用いた場合のイナーシャラッチ機構７を示した図である。
【符号の説明】
【００４９】
２…磁気ディスク
３…スピンドルモータ
４…キャリッジ
５…ＶＣＭ
６…ランプ
６ａ…スロープ
６ｂ…段差部
７…イナーシャラッチ機構
１１…ストッパ
４３…基端部
４３ａ…第１の凹部
４３ｂ…第２の凹部
４５…磁気ヘッド
４６…タブ
５１…ヨーク
５２…マグネット
５２ａ…吸引部
７１…ラッチアーム
７１ａ…第１の爪部
７１ｂ…第２の爪部
７１ｃ…第１の凸部
７１ｄ…第２の凸部
７２…回動軸
７３…ねじりコイルバネ
７３ａ…第１のアーム部
７３ｂ…第２のアーム部
７５…凸部
７６…鉄片
１００…ＨＤＤ
【図１】
2007052880.tif 000003
【図２】
2007052880.tif 000004
【図３】
2007052880.tif 000005
【図４】
2007052880.tif 000006
【図５】
2007052880.tif 000007
【図６】
2007052880.tif 000008
【図７】
2007052880.tif 000009
【図８】
2007052880.tif 000010
【図９】
2007052880.tif 000011
【図１０】
2007052880.tif 000012